(57)【特許請求の範囲】
【請求項１】
複数の構成板を上下方向に並べて配置することにより、一方面側を逆鎧張り形状に構成したパネル前面体と、前記パネル前面体の他方面側に配置される吸水保水性のある植生基盤材とを備えており、前記構成板１ａの少なくとも上端小口（１）を木質にするとともに、前記植生基盤材に、植物を植栽するようにした木質壁面緑化パネル。
【請求項２】
前記構成板１ａの全体を木質としたことを特徴とする、請求項１記載の木質壁面緑化パネル。
【請求項３】
前記構成板１ａを、寸法安定化・耐朽性向上・耐蟻性向上を木材に付与する付加剤を含浸させた板で構成したことを特徴とする、請求項１又は請求項２記載の木質壁面緑化パネル。
【請求項４】
前記植生基盤材は、感温性貯水給水マットであり、感温性貯水給水マットは、感温点が異なる複数種類の感温吸排水性ポリマーを混合することにより構成されており、感温吸排水性ポリマーは、所定の感温点以下では水を吸収し、感温点以上になると保持していた水を排水することを特徴とした、請求項１又は請求項２又は請求項３のいずれか記載の木質壁面緑化パネル。
【請求項５】
前記構成板１ａに切欠いて設けた植栽部の位置、形状および面積を、汎用工具などで簡単に変更・設定が可能であるよう、前記構成板１ａを杉、檜などの加工容易な木質にしたことを特徴とした請求項１又は請求項２又は請求項３又は請求項４のいずれか記載の木質壁面緑化パネル。
【発明の詳細な説明】
【技術分野】
【０００１】
本発明は、壁面緑化における、建造物取付型壁面緑化パネル及び塀型（フェンス型）緑化パネルに関する。
【背景技術】
【０００２】
地球温室効果ガス削減に取り組む世論が大きくなる近年、我が国においてもＣＯ２排出量を２０２０年に、１９９０年比２５％削減する目標がうたわれている。このような現状を改善する手段の一つとして、都市部における緑の保全および、新たな緑の創出が必要である。新たな緑の創出場所として、ビルなどの建築物や、道路・鉄道などの高架構造部壁面など、都市建造物における壁面緑化が有用である。しかし、先出された下記先行技術文献に例示の壁面緑化の構造の多くは、植物に水分を供給させる設備が必要で、そのため近くに給排水施設や電気施設など施設が必要になり、設置場所が制限されるとともに維持管理に費用がかかる。また、植物の生育期間が必要で設置直後に充分な緑化が形成できず、壁面緑化構造体が目立ち、その部材・構造ゆえに景観においての無機質感や特許文献３に例示の奇抜な形状が目立ち、施工設置直後の環境改善効果の低さや、周辺環境や都市景観対し貢献達成期間が必要である。潅水装置などの関連施設が不要で設置場所の制限を受けず、建造物などの壁面に景観を速やかに構成でき、素早く環境改善効果が得られる木質壁面緑化パネルを設置し、新たな緑の創出場所に貢献する。
【先行技術文献】
【特許文献】
【０００３】
【特許文献１】特開２００９―２７８９２４号  公報
【特許文献２】特開２００８―２９３２２号    公報
【特許文献３】特開２００５―２６１２０８号  公報
【特許文献４】特許第４２９９９４３号  公報
【特許文献５】特許第３９４５７１１号  公報
【発明の概要】
【発明が解決しようとする課題】
【０００４】
従来の壁面緑化構造は潅水装置を必要とする構造がほとんどで、給排水施設や電気施設などの周辺設備の完備条件が必要で、潅水装置の機能、構造等により壁面緑化構造が複雑になり、費用も過分に発生する。さまざまな場所に自在に摘要できず、設置場所が制限されるとともに、潅水装置や周辺設備関係の維持管理費が必要である。
【０００５】
また、従来の壁面緑化構造の多くは、ワイヤーロープなどのメッシュ構造、鋼製等枠構造やＡＬＣやアルミ・発砲スチロール等で構成されたボード構造などで、壁面緑化構造体設置後、一定の植物生育期間をかけ壁面緑化が完成するものであり、壁面緑化構造体設置完了時点においては、壁面緑化構造体を覆いつくすほどの植物による緑のボリュームがなく、壁面緑化構造体設置直後は植物の生育が未熟さゆえに、壁面緑化構造体自体がむき出しになり、人工物が目立ち無機質感が否めず景観上見栄えが悪い。また生育方向が植物任せであり意図する緑化形状が形成しにくく、植生管理を行いながら緑化形状を整える必要がある。
【０００６】
つぎに、従来の壁面緑化構造の多くは、植生基盤材の材質に人工土壌や有機質材がほとんどで、経年変化による植栽基盤材本体の劣化対策や、補充・補填などの対応が必要であり、設置対象物や周辺等に及ぼす汚染対策などが必要である。
【０００７】
従来の壁面緑化構造体は、定型規格もしくは、各現地条件による都度設計のオーダーメイドのため、施工現場においての計画変更によって壁面緑化構造体の、加工や形状変更が発生した場合、速やかな対応が困難で、高価な費用も発生する。
【０００８】
建造物や、周辺環境に対しての貢献度の点においても、植物の繁茂効果によって、太陽熱などからの影響を軽減させるため、壁面緑化構造体設置直後の植物の生育状況により、貢献度が大きく左右される。
【課題を解決するための手段】
【０００９】
木質壁面緑化パネルにおいて、パネル前面の構造を雨水等を受け止め可能に逆鎧張り形状とし、各構成板上端及び木質壁面緑化パネル上部より受水し、前記パネル内部に設けた植生基盤材に吸水保水させる。
【００１０】
なお植生基盤材を、所定の温度（感温点）以下では水を吸収してゲル状に膨れ、感温点を超えると吸収していた水を排出する樹脂を、分散させ成型加工した感温性貯水給水マットを使用し、高い貯水給水力、および、気温の変化により貯水と給水を繰り返す機能により、雨水等で植物が生育する環境を構築する。この効果により、潅水装置や周辺設備関係が不要で、設置場所の自由度が広がり、潅水装置の維持管理費用および定期的なメンテナンスが不必要である。
【００１１】
さらに、植生基盤材である感温性貯水給水マットは、吸水・排水時においての体積変化がほぼ起こらないため、植物の根を圧迫させたり破断することがほぼなく生育阻害をほぼ起こさない。
【００１２】
木質壁面緑化パネルにおいては、パネル前面の構成板に間伐材の例えばグリオキザール樹脂などで含浸処理を施し、寸法安定化・耐朽性・耐蟻性など木材の性能向上を図った木材を用い、逆鎧張板張りとすることにより、植物の根の成長経路を構成板上端小口に導き、成長を誘引させる。また、構成板各所に設けた切欠き開口部である植栽部分の形状や面積を汎用工具などで容易に変更・設定できるため、木質壁面緑化パネル設置周辺の状況などに合わせ、植物の配置や量を自在に設定できることにより速やかに緑の面を形成することが可能となり、設置直後からの緑の景観構成が可能であり、木質壁面緑化パネル前面の逆鎧張板張り形状により、板壁的な景観を構成できる。
【００１３】
木質壁面緑化パネルに使用する植物には、水耕栽培で育成した植物に根に土壌付着のない無土壌生育品を使用し、植生基盤材である感温性貯水給水マット自体は、無機質材であるため、品質劣化や体積の減少などが少なく、泥水などの汚水発生を抑える。
【００１４】
木質壁面緑化パネルは、例えばグリオキザール樹脂などで含浸処理した木材と感温性貯水給水マットで構成されているため、現場での加工および形状変更が、汎用工具類で容易におこなえ、施工現場において発生する不測の変更等にも速やかに対応できる。
【００１５】
建造物壁面緑化の環境に対する効果として、東京都産業労働局農林試験場「壁面緑化」調査結果として、コンクリート壁面と、同壁面に植物を垂らした壁および同壁面に植生基盤材を密着させた壁の３タイプにおいて、植生基盤材を密着させた壁の壁面温度上昇が一番低く、壁面表面温度差が最大１０℃（９月１０日１５：００時点）であるとの結果が公表されており、木質壁面緑化パネルはその構造特性上、熱伝導率の低い材質からなり、さらに水分を含んでいるため遮熱性が高く、さらに緑化植物の密度を、自由に設定できる構造のため、木質壁面緑化パネル設置直後から、建造物壁面の温度上昇を抑制できる。さらに、木質壁面緑化パネル前面においても周辺気温上昇抑制効果があり、木質壁面緑化パネル前面周辺にクール風が発生し、周辺部に低温域の広がりを見せ気温上昇の抑制効果が見込まれる。
【発明の効果】
【００１６】
このように木質壁面緑化パネルは、従来の壁面緑化構造と異なり、パネル前面の逆鎧張り形状と、パネル内部の高い貯水給水力を持つ、感温性貯水給水マットの植生基盤により、潅水装置の設置を不要とし設備に対してのランニングコストの縮減、メンテナンスフリー化を行うとともに、植物吸着根の成長誘導経路の確保・植栽場所および面積の設定自由としての構造を持ち、また無機質な構造体がなく設置直後から、安らぎと温かみのある人にやさしい景観を構築ができ、建造物壁面並びに周辺環境に対して、壁面温度上昇の抑制・周辺気温上昇の緩和効果があり、また植物の健全な生育場所の提供及び都市環境に大きく貢献する。
【図面の簡単な説明】
【００１７】
【図１】木質壁面緑化パネル（建造物取付型）の詳細拡大ア―ア断面図及び詳細図である。
【図２】木質壁面緑化パネル（建造物取付型）の正面図である。左側半分は植栽イメージであり、右側半分はパネルのみの状態である
【図３】木質壁面緑化パネル（建造物取付型）の詳細拡大平面図である。
【図４】木質壁面緑化パネル（建造物取付型）の詳細拡大イ―イ断面図である。
【図５】木質壁面緑化パネル（建造物取付型）のパネル連結部拡大平面図である。
【図６】木質壁面緑化パネル（塀型両面植栽）の詳細拡大側断面図である。
【図７】木質壁面緑化パネル（塀型片面植栽）の詳細拡大側断面図である。
【図８】木質壁面緑化パネル（塀型）の正面図である。左側半分は植栽イメージであり、右側半分はパネルのみの状態である。
【図９】木質壁面緑化パネル模型  前景（参考写真１）
【図１０】木質壁面緑化パネル模型  斜め前方（参考写真２）
【図１１】木質壁面緑化パネル模型  側面（参考写真３）
【図１２】木質壁面緑化パネル模型  上面（参考写真４）
【発明を実施するための形態】
【００１８】
以下、本発明の実施の形態を図１〜図１２に基づいて説明する。
【００１９】
本実施形態は、屋外建造物外壁の壁面および、戸建住宅などの外構（塀・フェンス）や街並み等を緑化する木質壁面緑化パネルに関するものである。
【００２０】
パネル前面（図中１）に、寸法安定化・耐朽性・耐蟻性など木材の性能向上を図り１５年経ても劣化による変化が認められない施工実績のある、例えばグリオキザール樹脂などを含浸させた板を使用した構成板（図中１ａ）の逆鎧張板張り形状の効果により、雨水等を各構成板上端小口（図中（１））及びパネル上部より受水させ、パネル内部の植生基盤である感温性貯水給水マット（図中２）に吸水保水させ、外気温および植物の成長などの状況に応じ、感温性貯水給水マット（図中２）の排水外気温を何段階か数種類設定することにより、植物が必要な水分を必要な時に供給させるとともに、
【００２１】
パネル前面（図中１）の各構成板上端小口（図中（１））を、構成板が木質であることにより植栽植物の吸着根の成長経路にとし、植栽植物の吸着根の誘引効果を持たせ、植物の成長方向を誘導し成長を促進させ早期に緑の面積を計画的に形成させる。
【００２２】
パネル前面（図中１）の構成板（図中１ａ）の幅寸法は、設置場所や様々な状況に応じ設定が可能であり、また構成板（図中１ａ）の厚み寸法は木材の特性や材木を扱う関係者からの経験値ではあるが、構成板幅のおおよそ１／５以上が好ましいと言われ、それ以下だと板にそりなどが発生しやすくなり、割れや狂いが生じるが、あまり厚すぎると重量が重たくなり非効率・非経済である。例えば、構成板幅１０ｃｍならば２ｃｍ以上になり、構成板幅２０ｃｍならば４ｃｍ以上ということになるが、木材の種類や状態・樹脂含浸処理などにより寸法にゆとりがみこめる場合もある。
【００２３】
また、構成板（図中１ａ）の幅を小さくすることにより雨水等の受ける面である構成板上端小口（図中（１））を増やし受水効率を高めるとともに、板幅に上限のある間伐材などの利用が促進でき、資源の有効活用がなされ環境対策にもつながる。
【００２４】
植生基盤である感温性貯水給水マット（図中２）は、最大保水力９００Ｌ／ｍ３以上、マット体積の９０％以上の高い貯水給水力、および、気温の変化により貯水と給水を繰り返す機能を有し、上部開口の袋状にした遮水層（図中３）に挿入し袋内側面下面には、水腐り防止措置としての通気層（図中５）をパーライトなどの多孔質軽量無機質材などを使用し、袋の下部および側面に設ける。遮水層自体は、外部の水分を吸収し、内部の水分を出さない吸水防水性能を有した物例えば、吸水シートなどを加工使用し、外部の水分を有効的に感温性貯水給水マットへ吸水保水させるとともに建造物表面が、常時湿潤状態になることを避ける処置を行う。
【００２５】
パネル前面の構成板（図中１ａ）に切欠いて設けた植栽部（図中６）において、植物植栽時はパネル植栽部切欠き開口（図中６）より、刃物などで遮水層（図中３）を通して、緑化基盤である感温性貯水給水マット（図中２）に切り込み（図中ＰＣ）を入れて、植物を感温性貯水給水マットに、植物根部を挟み込むように植えることにより、植物がしっかり安定し植物根部が感温性貯水給水マットに活着するし脱落しない。
【００２６】
施工性や運搬搬入などを考慮してパネル自体の大きさは、パネル前面の構成板（図中１ａ）厚さ１．５ｃｍで杉材を使用と設定した場合で、杉材比重０．３８×厚さ１．５ｃｍ×１０００＝５.７ｋｇ／ｍ２となり、植生基盤である感温性貯水給水マット（図中２）厚さ５ｃｍとした場合、ウレタン比重０．０６×厚さ５．０ｃｍ×１０００＝３.０ｋｇ／ｍ２、胴縁材（図中７）を加えた合計でパネル乾燥重量が約１０kg／ｍ２であることから、標準パネル２ｍ２程度とし、１ｍ２程度の１／２パネルも用意してもよい。
このことから、木質壁面緑化パネル高さ０．９ｍ×幅１．８ｍとした場合で１６．２ｋｇ／枚、パネル高さ０．９ｍ×幅０．９ｍとした場合で８．１ｋｇ／枚となり、パネル高さ１．８ｍ×幅１．８ｍとした場合でも３２．４ｋｇ／枚である。
【００２７】
建造物に取り付ける際は、建造物とパネルの間に、防根層（図中４）を設置し、建造物に植物の根が張りついて建造物に悪影響が発生しないように充分に配慮し、パネル胴縁（図中７）位置において取り付け金具の種類や位置を、建造物の状況に応じ設定し取り付ける。また取り付け金具は、アンカーボルト取り付け（図中１０）など建造物の種類や状況に合わせた、既存工法で容易に行える。
【００２８】
また、木質壁面緑化パネルを連続して、設置する際はパネル胴縁連結部（図中８）を設けてパネル胴縁同士を相欠き継形式とし、取り付け金具が重複しないように効率的かつ景観に配慮した取り付け形状とする。
【００２９】
戸建住宅などの外構（塀・フェンス）や街並み都市景観として建造物に取り付けず設置する場合は、パネル背面に背面用材として、パネル前面と同じ形状（図６）とするかもしくは、普通の横長板張り形状とした形式（図７）を用い周辺状況や用途・要望に応じた設定としたものを設置する。
【００３０】
連結形式についてはパネル胴縁連結部（図中８）を設けてパネル胴縁同士を相欠き継形式とし、コーナー部についても同様にパネル胴縁同士を相欠き継形式とし連結設置させる。
【００３１】
取り付け固定には、パネル同縁（図中７）パネル胴縁連結部（図中８）およびを下部に延長し、地中などに埋め込み状況に応じた既存の固定方法で固定し自立させる。
【００３２】
建造物壁面緑化の環境に対する効果として、民間企業（日本ナチュロック（株））の実験で、コンクリート造り建造物のミニチュア模型で壁厚や天井厚も一般的な建造物の縮尺に応じて縮小した同模型と、同模型を溶岩パネルで全面緑化した場合の、両模型内部の温度変化検証結果では、外気温３６．７℃時に、コンクリート模型内部が温度４４．３℃、全面緑化模型内部は温度３５．３℃で温度差９℃となった。
【００３３】
また、首都高速道路１／３５模型において、道路模型の側壁が、防音壁（金属）と緑化壁（石材）とでの比較検証で、外気温３１℃時に防音壁の壁側で４３．４℃となり、同じ防音壁の中央車線側で４２．３℃を記録し、緑化壁の壁側では３９．８℃および緑化壁の中央車線側で３６．３℃を記録し、最大６℃差という結果が公表されている。
【００３４】
また、東京都産業労働局農林試験場「壁面緑化」調査においても、コンクリート壁面に、植生基盤材を密着して取り付けた壁においての有効性が公表されており、木質壁面緑化パネルはその構造特性上、熱伝導率の低い材質を使用しており、熱伝導率が杉および檜の木材で０．１２ｗ／ｍ・ｋ、そしてウレタンが０．０２３〜０．０２６ｗ／ｍ・ｋの組み合わせで構成されており、溶岩の０．２ｗ／ｍ・ｋと比べると木質壁面緑化パネルが６０％以下の熱伝導率となるため遮熱性が高く、建造物に太陽熱を伝えにくくなる。
【００３５】
代表的な資材の熱伝導率（ｗ／ｍ・ｋ）の例を下記に表記する。
鋼材  ５３．０  ＳＵＳ材  １５．０    アルミ材  ２００．０
コンクリート    １．６    ＡＬＣパネル  ０．１７
大   理   石    ３．０    溶岩（軽石）  ０．２
木材（檜・杉）  ０．１２
硬質ウレタンフォーム  ０．０２３〜０．０２６
【００３６】
さらに緑化植物の密度を、自由に設定できる構造のため、木質壁面緑化パネル設置直後から、建造物壁面の温度上昇を抑制できるとともに、木質壁面緑化パネル前面においての、周辺気温上昇抑制効果により、周辺にクール風を発生させ低温域の広がりにより、気温上昇の抑制効果を生む。
【００３７】
木質壁面緑化パネル自体が、高い遮熱性を持ち、建造物等壁面の温度上昇が抑制され、年間および日中の表面温度差が小さくなるため、温度差による収縮膨張が小さくなり、経年変化による劣化を低減させることにより、建造物の寿命が永らえる。また、建造物外壁が、木質壁面緑化パネルにより覆われるため、紫外線や酸性雨等外的要因の直接影響の低減にもつながる。
【００３８】
ならびに、木質壁面緑化パネルは、名称が表すように、前面が木質材を使用しているので、防音・防反響音効果も見込める。また、緑化することにより壁面落書き防止効果もあり街並みなどの景観美化が保てる効果もある。
【００３９】
本実施形態を以上で説明したが、実用例として図９〜図１２（参考写真）で示す。このような形態の、木質緑化パネルを設置することにより、街並み景観を良好なものに形成する。
【符号の説明】
【００４０】
１    パネル前面
１ａ  構成板
２    緑化基盤材
３    遮水層
４    防根層
５    通気層
６    植栽エリア：構成板切欠き開口
７    胴縁
８    胴縁（連結部）
９    雨水集水板
１０    壁面等取付金具：アンカーボルト等
Ａ    ７および８胴縁延伸部：地中等基礎根入れ
Ｂ    パネル背面材
Ｐ    緑化植物
ＰＣ  緑化基盤材切込み植栽位置
Ｗ    建造物壁面
(1)    上端小口
【図１】
0005354504.tif 000002
【図２】
0005354504.tif 000003
【図３】
0005354504.tif 000004
【図４】
0005354504.tif 000005
【図５】
0005354504.tif 000006
【図６】
0005354504.tif 000007
【図７】
0005354504.tif 000008
【図８】
0005354504.tif 000009
【図９】
0005354504.tif 000010
【図１０】
0005354504.tif 000011
【図１１】
0005354504.tif 000012
【図１２】
0005354504.tif 000013